(57)【要約】【課題】仮設足場に設置された壁つなぎを建物の屋外張出部分の立ち上げ部に強固に連結する壁つなぎ取付金物を提供する。【解決手段】壁つなぎ取付金物は、建物の屋外張出部分Ａの立ち上げ部Ａ１に埋設され、該立ち上げ部Ａ１の上面Ａ２に露出するネジ穴１２が設けられたアンカー１０と、その基端側に設けられた通孔３２を介して、前記アンカー１０のネジ穴１２に螺着される締付けボルト２０により前記アンカー１０に固着されると共に、仮設足場Ｄに装着された壁つなぎＣの接続ボルト６０が螺着されるナット部３１がその先端側に設けられたアーム板３０と、前記締付けボルト２０が挿入され、該アーム板３０と前記アンカー１０との間隙に配置され、前記アーム板３０を前記立ち上げ部Ａ１の前記上面Ａ２から所望の高さに保持する台座スペーサー４０とからなる。【選択図】  図１
2020159153.tif 000002
【特許請求の範囲】
【請求項１】
建物の屋外張出部分の手摺立設用の立ち上げ部に埋設され、該立ち上げ部の上面に露出するネジ穴が設けられたアンカーと、
その基端側に設けられた通孔を介して、前記アンカーのネジ穴に螺着される締付けボルトにより前記アンカーに固着されると共に、仮設足場に装着された壁つなぎの接続ボルトが螺着されるナット部がその先端側に設けられたアーム板と、
前記締付けボルトが挿入され、該アーム板と前記アンカーとの間隙に配置され、前記アーム板を前記立ち上げ部の前記上面から所望の高さに保持する台座スペーサーとからなる壁つなぎ取付金物。
【請求項２】
台座スペーサーとアンカーとの間にアンカー側から台座スペーサーに向けてその外径が漸増する逆円錐台状のスペーサ―が更に設置されていることを特徴とする請求項１に記載の壁つなぎ取付金物。
【請求項３】
逆円錐台状のスペーサ―と台座スペーサーとの間に前記スペーサ―の上面よりも大径の座金が更に設置されていることを特徴とする請求項２に記載の壁つなぎ取付金物。
【請求項４】
建物の屋外張出部分の立ち上げ部に埋設され、該立ち上げ部の上面に露出するネジ穴が設けられた複数のアンカーと、
該複数のアンカーを所定の間隔で並設保持するための透孔が複数個穿設された連結板と、
前記透孔に合わせてその基端側に設けられた一対の通孔を介して前記それぞれのアンカーのネジ穴に螺着される複数本の締付けボルトにより前記アンカーに固着されると共に、仮設足場に連結された壁つなぎの接続ボルトが螺着されるナット部がその先端側に設けられたアーム板と、
前記締付けボルトが挿入され、該アーム板と前記アンカーとの間隙に配置され、前記アーム板を前記立ち上げ部の前記上面から所望の高さに保持する台座スペーサーとからなることを特徴とする壁つなぎ取付金物。
【請求項５】
建物の屋外張出部分の先端に設けられ、該屋外張出部分の床面より高く形成された立ち上げ部と、
前記立ち上げ部の上面と、その下縁との間に隙間を設けて前記立ち上げ部の前記上面に立設された手摺りと、
建物の外壁に沿って立設された仮設足場と、
前記仮設足場に取り付けられた壁つなぎと、
前記立ち上げ部に埋設され、そのネジ穴が前記立ち上げ部の上面に露出したアンカー、前記隙間に配置され、前記アンカーに締付けボルトにて取り付けられ、その先端に前記壁つなぎの接続ボルトが螺着されるナット部が取り付けられたアーム板を含む請求項１〜５のいずれかに記載の壁つなぎ取付金物とで構成されていることを特徴とする仮設足場の接続構造。
【発明の詳細な説明】
【技術分野】
【０００１】
この発明は、集合住宅やビルなどの建物の外壁と、その建物に並設される仮設足場とを連結するための「壁つなぎ」と呼ばれる仮設資材を、建物のバルコニーやベランダのような建物の屋外張出部分の先端の手摺り設置用の立ち上げ部分に固定するための壁つなぎ取付金物に関し、更にはこの金物を使用した仮設足場との接続構造に関する。
【背景技術】
【０００２】
従来、建物の外壁と仮設足場を連結するためのものとして壁つなぎと呼ばれる仮設資材が使用されている。この壁つなぎを外壁に固定する一般的な方法として、新築の場合、外壁側のコンクリート型枠に予めアンカーを取り付け、続いてそのネジ穴を外面に露出させた状態でコンクリートを打設して前記アンカーをコンクリートに埋設し、コンクリート型枠の脱型後、コンクリート内に埋設されたアンカーのネジ穴に壁つなぎ取付金物を螺着し、この壁つなぎ取付金物のナット孔に壁つなぎの一端に設けた接続ボルトを螺着して、外壁と仮設足場とを連結していた。また、既成建物の外壁の補修作業では、外壁に穴をあけてここにアンカーを埋設固定し、このアンカーを利用して上記のように外壁と仮設足場とを連結していた（特許文献１〜２）。
【先行技術文献】
【特許文献】
【０００３】
【特許文献１】実開昭６０−１２９４４３号（第３頁、図１）
【特許文献２】意匠登録第１５８４４７６号公報
【発明の概要】
【発明が解決しようとする課題】
【０００４】
特許文献１〜２にはバルコニーのような屋外張出部分から仮設足場に装着されている壁つなぎを取り付けるための「壁つなぎ取付金具」が開示されている。該屋外張出部分の先端には、該屋外張出部分の床面より一段高い立ち上げ部が設けられ、この立ち上げ部の上面に面板材を有する手摺りが立設される。
そのため、特許文献１では、この面板材を有する手摺りを避けるため、屋外張出部分の下面にアンカーを埋設し、壁つなぎ取付金物を介してそのアンカーに壁つなぎを取り付けている。そして特許文献２では、屋外張出部分の立ち上げ部にアンカー固定される壁つなぎ取付金物が開示されている。
特許文献１では、仮設足場を解体すると、アンカーに壁つなぎ取付金物及び壁つなぎが
屋外張出部分の下面に残る。そのため、壁つなぎ取付金物及び壁つなぎを外壁から取り外すために、脚立を用いた取り外し作業が別途必要になり、作業の手間が発生するという問題点がある。
【０００５】
特許文献２では立ち上げ部の上面にアンカーを埋設しているが、アンカー埋設部分（ネジ穴位置）と壁つなぎとの連結部分であり、幅（或いは高さ）のある六角ナットを用いたナット部材が同軸上にあるため、立ち上げ部の上面からナット部材の上面までの高さが高くなり、面板材付の手摺の設置に際して、或いは仮設足場解体の際の壁つなぎ取付金物や壁つなぎの取り外しに際して、面板材の下縁が邪魔になり、作業の支障となるという問題があった。
【０００６】
この発明は上記従来の課題に鑑みなされたもので、その目的は、仮設足場に設置された壁つなぎを、バルコニーやベランダなど、建物の屋外張出部分の先端に設けられた立ち上げ部の上面に強固に連結すると共に、立ち上げ部の上面に手摺を設置するに際して、或いは仮設足場解体の際の取り外しに際して、双方が干渉して作業の障害とならない壁つなぎ取付金物を提供することにあり、更にはこの壁つなぎ取付金物を用いた仮設相場の接続構造を提供する事にある。
【課題を解決するための手段】
【０００７】
その手段として、本発明の第１の発明（壁つなぎ取付金物の実施形態１）は、
建物の屋外張出部分Ａの手摺Ｂ立設用の立ち上げ部Ａ１に埋設され、該立ち上げ部Ａ１の上面Ａ２に露出するネジ穴１２が設けられたアンカー１０と、
その基端側に設けられた通孔３２を介して、前記アンカー１０のネジ穴１２に螺着される締付けボルト２０により前記アンカー１０に固着されると共に、仮設足場Ｄに装着された壁つなぎＣの接続ボルト６０が螺着されるナット部３１がその先端側に設けられたアーム板３０と、
前記締付けボルト２０が挿入され、該アーム板３０と前記アンカー１０との間隙に配置され、前記アーム板３０を前記立ち上げ部Ａ１の前記上面Ａ２から所望の高さに保持する台座スペーサー４０とからなる。
【０００８】
請求項２は、請求項１の発明において、
台座スペーサー４０とアンカー１０との間にアンカー１０側から台座スペーサー４０に向けてその外径が漸増する逆円錐台状のスペーサ―１３が更に設置されていることを特徴とする。
【０００９】
請求項３は、請求項２の発明において、
逆円錐台状のスペーサ―１３と台座スペーサー４０との間に前記スペーサ―１３の上面よりも大径の座金４０が更に設置されていることを特徴とする。
【００１０】
第１の発明によれば、アンカー１０を前記立ち上げ部Ａ１に埋設し、台座スペーサー４０を介して締付けボルト２０でアーム板３０を固定し、当該アーム板３０の先端側に設けたナット部３１に壁つなぎＣの接続ボルト６０を螺着することで、仮設足場Ｄに装着した壁つなぎＣと該立ち上げ部Ａ１とを強固に連結することができる。
【００１１】
アーム板３０は、基端側に締付けボルト２０が挿通される通孔３２が設けられ、先端側にナット部３１が設けられているので、アンカー１０に固定する締付けボルト２０の固定位置と、壁つなぎＣの接続ボルト６０を連結するナット部３１の接続位置を離間させることができ、また、アーム板３０は前記ナット部材３１に比べて高さが小さい（即ち、薄い）板材のため、屋外張出部分Ａの立ち上げ部Ａ１の上面Ａ２から手摺Ｂの面板材下端の横桟Ｂ１までの高さ内に収めることができるので、手摺Ｂの設置に際してアーム板３０が手摺Ｂの面板材下端の横桟Ｂ１に干渉するような作業の障害を生じない。
【００１２】
請求項４に記載の本発明の第２の発明（壁つなぎ取付金物の実施形態２）は、
建物の屋外張出部分Ａの立ち上げ部Ａ１に埋設され、該立ち上げ部Ａ１の上面Ａ２に露出するネジ穴１２０が設けられた複数のアンカー１００と、
該複数のアンカー１００を所定の間隔で並設保持するための透孔５１０が複数個穿設された連結板５００と、
前記透孔５１０に合わせてその基端側に設けられた一対の通孔３２０を介して前記それぞれのアンカー１００のネジ穴１２０に螺着される複数本の締付けボルト２００により前記アンカー１００に固着されると共に、仮設足場Ｄに連結された壁つなぎＣの接続ボルト６０が螺着されるナット部３１０がその先端側に設けられたアーム板３００と、
前記締付けボルト２００が挿入され、該アーム板３００と前記アンカー１００との間隙に配置され、前記アーム板３００を前記立ち上げ部Ａ１の前記上面Ａ２から所望の高さに保持する台座スペーサー４００とからなることを特徴とする。
【００１３】
請求項５は、請求項４に記載の本発明の第２の発明（壁つなぎ取付金物の実施形態２）において、
連結板５００とアンカー１００との間にアンカー１００側から連結板５００に向けてその外径が漸増する逆円錐台状のスペーサ―１３０が更に設置されていることを特徴とする。
【００１４】
第２の発明によれば、締付けボルト２００を挿通した一対の台座スペーサー４００、及び連結板５００（更には逆円錐台状のスペーサ―１３０）を介して、複数の締付けボルト２００で複数の透孔を設けたアーム板３００に複数のアンカー１００が並設保持されるので、アンカー１００とアーム板３００の固定箇所を複数点とすることができ、特に仮設足場から屋外張出部分Ａへ掛る圧縮方向の荷重に対してアーム板３００の回転をこれにより防止することができるため、より強い圧縮荷重に耐えうることができる。
【００１５】
なお、この種の壁つなぎＣには、建物から外方向に生じる引張荷重と建物に向かう内方向に生じる圧縮荷重の所定荷重を満たしたもの（引張・圧縮許容荷重  ４．４１ｋＮ）が使用される。それ故、本発明でも壁つなぎＣに連結する壁つなぎ取付金具は、壁つなぎＣと同等以上の強度に耐えうることが望ましい。請求項１のアンカー１０単体であれば引張荷重を、請求項２の一対のアンカー１００であれば所定の引張荷重、及び圧縮荷重をクリアーする強度を有することができる。
【００１６】
請求項６に記載の発明は、請求項１〜５のいずれかに記載の壁つなぎ取付金物を用いた仮設足場の接続構造で、
建物の屋外張出部分Ａの先端に設けられ、該屋外張出部分Ａの床面より高く形成された立ち上げ部Ａ１と、
前記立ち上げ部Ａ１の前記上面Ａ２と、その下縁Ｂ１との間に隙間Ｓを設けて前記立ち上げ部Ａ１の前記上面Ａ２に立設された手摺りＢと、
建物の外壁に沿って立設された仮設足場Ｄと、
前記仮設足場Ｄに取り付けられた壁つなぎＣと、
前記立ち上げ部Ａ１に埋設され、そのネジ穴１２（１２０）が前記立ち上げ部Ａ１の上面Ａ２に露出したアンカー１０（１００）、前記隙間Ｓに配置され、前記アンカー１０（１００）に締付けボルト２０（２００）にて取り付けられ、その先端に前記壁つなぎＣの接続ボルト６０が螺着されるナット部３１（３１０）が取り付けられたアーム板３０（３００）を含む請求項１〜５のいずれかに記載の壁つなぎ取付金物とで構成されていることを特徴とする。
【発明の効果】
【００１７】
本発明の壁つなぎ取付金物によれば、仮設足場に連結する壁つなぎＣを、手摺Ｂを設置する屋外張出部分Ａの先端の立ち上げ部Ａ１の上面Ａ２に強固に連結することができると共に、壁つなぎＣや壁つなぎ取付金物などの取付や解体作業が足元での作業となるので、容易に施工することができる。
また、手摺Ｂの設置に際して、或いは仮設足場解体の際の取り外しに際しても、従来のように双方が干渉して作業の支障を生じるというようなことにはならず、作業効率の向上を図ることができるなど、上記従来の課題を解消することができる。
【図面の簡単な説明】
【００１８】
【図１】本発明の実施形態１を示す斜視図である。
【図２】本発明の実施形態１の組立状態を示す説明図である。
【図３】本発明の実施形態１のアンカー埋設時の形態を示す斜視図である。
【図４】（ａ）〜（ｄ）本発明の実施形態１の使用状態を示す説明図である。
【図５】本発明の実施形態１の使用状態を示す斜視図である。
【図６】本発明の実施形態２を示す斜視図である。
【図７】本発明の実施形態２の組立状態を示す説明図である。
【図８】本発明の実施形態２の使用状態を示す斜視図である。
【発明を実施するための形態】
【００１９】
本発明の実施の形態を図面により詳細に説明する。まず、本発明の実施形態１について、図１〜図３により説明する。
本発明の壁つなぎ取付金物は、アンカー１０、アーム板３０及び台座スペーサー４０、並びに必要に応じて設けられる逆三角錐台状のスペーサ―１３、座金５０とで構成される。
【００２０】
アンカー１０は、下端にコンクリートへの埋設時のアンカー効果を得るために胴径より大きいフランジ１１が形成され、上半部分には締付けボルト２０が螺着されるネジ穴５２が螺設された金属製の円筒状の部材である。
【００２１】
スペーサー１３はアンカー１０の上面に配置される部材で、下面より上面が大径とした即ち、アンカー１０側から台座スペーサ４０方向に向けてその外径が漸増する略逆円錐台状に形成され、本体の中央に締付けボルト２０が挿通する透孔が設けられたプラスチック製の部材である。アンカー１０をコンクリートに埋設した際、アンカー１０の上面をコンクリート面（立ち上げ部Ａ１の上面Ａ２）より下方に配置させる働きを有する。スペーサー１３は必要に応じて設けられる部材である。本実施例ではスペーサー１３を用いた例を示す。
スペーサー１３を用いると、仮設足場Ｄの解体後で、本発明の壁つなぎ取付金物を取り外した後、コンクリート面（立ち上げ部Ａ１の上面Ａ２）からスペーサー１３を取り除くと、アンカー１０の上方にその分の逆三角形錐台状の空間が出来る。この空間にモルタルＦを補充することで、後処理が容易にできると共に、埋設した金属製のアンカー１０に対する防錆効果も得ることができる。
【００２２】
アーム板３０は板状部材で、先端部分にそのねじ孔がアーム板３０の長手方向を向くように六角ナットが溶着され、基端側に前記締付けボルト２０が挿通する通孔３２が設けられている。通孔３２は単なる丸穴でも良いが、位置調整機能を付与するためにアーム板３０の長手方向に伸びた長孔でも良い。そして前記六角ナットが仮設足場Ｄに設けられた壁つなぎＣの接続ボルト６０を螺着するナット部３１である。そしてアーム板３０の板厚はナット部３１を構成する六角ナットの寝かした状態の高さ（幅）より薄い板材が用いられている。ただしその板厚は壁つなぎＣの引張荷重の所定荷重に耐えることができるように２ｍｍ以上の板厚を有することが望ましい。
また、アーム板３０は、ナット部３１が手摺Ｂの下端（横桟）Ｂ１に干渉することなく、当該横桟Ｂ１の外側に配置するような長さとする。
【００２３】
台座スペーサー４０は、中央に締付けボルト２０が挿通する金属製、又はプラスチック製円筒体であり、鋼管を切断したものでもよく、プラスチック製管を切断したものでもよい。
当該台座スペーサー４０の高さは、アーム板３０が手摺Ｂの下端Ｂ１の横桟に干渉することなく、しかも、アーム板３０と立ち上げ部Ａ１の上面Ａ２の間隔は該上面Ａ２を仕上げるための左官鏝が入ることが条件となる。一般的に手摺Ｂの下端（横桟）Ｂ１と立ち上げ部Ａ１の上面Ａ２との間隔は４０ｍｍ程度であるので、手摺Ｂの下端（横桟）Ｂ１とのクリアランスとアーム板３０の板厚を考慮しても、２０〜３０ｍｍ程度が望ましい。
【００２４】
座金５０は金属製であり、台座スペーサー４０に掛る圧縮荷重を平面上で均等に受けることで安定した強度を得ることができるためのものである。座金５０は前記台座スペーサー４０と一体化した形態でもよく、一体化により部品点数が少なくなるので、金物の組み立て、解体時の作業手間が少なくなる効果を得ることができる。座金５０も必要に応じて設けられる部材で、本実施例ではこれを用いた例を示す。
【００２５】
壁つなぎ取付金具の埋設部分を立ち上げ部Ａ１のコンクリートに埋設する際は、アンカー１０にスペーサー１３、座金５０、台座スペーサー４０の順で積み上げ、締付けボルト２０をそれぞれの透孔を挿通して前記アンカー１０のネジ穴１２に螺着して一体化した形態、即ち、アーム板３０を除いた形態として用いる。
壁つなぎＣを連結する際には、締付けボルト２０を一旦外し、台座スペーサー４０の上にアーム板３０を載せて、通孔３２を介して再度、締付けボルト２０をアンカー１０のネジ穴１２に螺着して一体化する。
【００２６】
本発明の実施形態１の使用方法を図４及び図５を用いて説明する。前記記載の通り、立ち上げ部Ａ１のコンクリートに壁つなぎ取付金具の埋設部分を埋設する際には、上記のようにアンカー１０にスペーサー１３、座金５０、台座スペーサー４０を順に積み上げ、締付けボルト２０を前記アンカー１０のネジ穴１２に螺着して一体化して、屋外張出部分Ａの立ち上げ部Ａ１の所望位置に埋め込むが、その際、立ち上げ部Ａ１の上面Ａ２と座金５０の下面が均一になるまで埋め込むことが望ましい。
そして立ち上げ部Ａ１のコンクリートの養生、その後の型枠Ｅの脱型後の仮設足場Ｄの構築の際、締付けボルト２０を一旦外し、アーム板３０を台座スペーサー４０の上に載せて、通孔３２を介して再度、締付けボルト２０をアンカー１０のネジ穴１２に螺着して一体化する。そしてアーム板３０の先端側のナット部３１に仮設足場Ｄに装着した壁つなぎＣの接続ボルト６０を螺着して立ち上げ部Ａ１と仮設足場Ｄとを接続する。
【００２７】
立ち上げ部Ａ１の上面Ａ２への手摺Ｂの取付けなど必要な作業が終了した後、仮設足場Ｄを解体することになるが、壁つなぎＣをアーム板３０のナット部３１から外し、次に締付けボルト２０を外して、アーム板３０、台座スペーサー４０、及びコンクリートに埋設されたスペーサー１３を取り除く。そしてその空間にモルタルＦを充填して補修を行う。
【００２８】
次に本発明の実施形態２について、図６及び図７により説明する。アンカー１００、及びスペーサー１３０は実施形態１と同じの形態とし、それらを連結板５００で連結する。
連結板５００は矩形状の薄鋼鈑に締付けボルト２００が挿通する透孔５１０、５１０を所定の間隔で設けられている。スペーサー１３０は必要に応じて設けられる。
【００２９】
アーム板３００の基端側には前記締付けボルト２００が挿通される複数（本実施例ではアンカー１００を２本使用するので、以下、関連個所を２箇所として説明する。）の通孔３２０が穿設され、先端側には実施形態１と同様に、仮設足場に連結する壁つなぎＣの接続ボルト６０が螺着される六角ナットを溶着してナット部３１０を設ける。
また、板厚は壁つなぎの引張荷重、及び、圧縮荷重の所定荷重に耐えることができるように４ｍｍ以上の板厚を有することが望ましい。
台座スペーサー４００は実施形態１と同様の形態とし、２個使用する。
また、台座スペーサー４００と連結板５００は一体化した形態でもよく、一体化により部品点数が少なくなるので、金物の組立て、解体時の作業手間が少なくなる効果を得ることができる。
【００３０】
本発明の実施形態２の使用方法を図８を用いて説明する。実施形態１と同様に、コンクリートに埋設する際には、一対のアンカー１００のそれぞれに逆円錐台状のスペーサ―１３０を載せ、その上に連結板５００、一対の台座スペーサー４００を積み上げ、２本の締付けボルト２００を前記アンカー１００の各ネジ穴１２０に螺着して一体化し、立ち上げ部Ａ１の所望位置に埋め込む。その際、立ち上げ部Ａ１の上面Ａ２と連結板５００の下面が均一になるまで埋め込むことが望ましい。
そして立ち上げ部Ａ１のコンクリートの養生、その後の型枠Ｅの脱型後の仮設足場Ｄの構築の際、両締付けボルト２００を一旦外し、アーム板３００を各台座スペーサー４００の上に載せて、通孔３２０を介して再度、両締付けボルト２００を各アンカー１００のネジ穴１２０に螺着して一体化する。そしてアーム板３００の先端側のナット部３１０に仮設足場Ｄにに装着した壁つなぎＣの接続ボルト６０を螺着して立ち上げ部Ａ１と仮設足場Ｄとを接続する。その後は、実施形態１と同じ要領で使用するものである。
【符号の説明】
【００３１】
１０（１００）：アンカー、１１（１１０）：フランジ、１２（１２０）：ネジ穴、１３（１３０）：スペーサー、２０（２００）：締付けボルト、３０（３００）：アーム板、３１（３１０）：ナット部、３２（３２０）：通孔、４０（４００）：台座スペーサー、５０：座金、５２：ネジ穴、６０：接続ボルト、５００：連結板、５１０：透孔
Ａ：屋外張出部分、Ａ１：立ち上げ部、Ａ２：上面、Ｂ：手摺、Ｂ１：下縁、Ｃ：壁つなぎ、Ｄ：仮設足場、Ｅ：型枠、Ｆ：モルタル、Ｓ：隙間、
【図１】
2020159153.tif 000003
【図２】
2020159153.tif 000004
【図３】
2020159153.tif 000005
【図４】
2020159153.tif 000006
【図５】
2020159153.tif 000007
【図６】
2020159153.tif 000008
【図７】
2020159153.tif 000009
【図８】
2020159153.tif 000010